(57)【要約】【課題】防蟻剤を使用しなくても、防蟻効果に優れ、施工も容易な防蟻技術を提供する。【解決手段】床下空間Ｕの基礎構造１０に隣接する地盤面Ｅに配置された収容凹部２０と、収容凹部２０の内面に沿って配置された防湿層２２と、収容凹部２０の内部で防湿層２２の上に収容された吸放湿性粉体層２４と、収容凹部２０の内部で吸放湿性粉体層２４の上に配置された重し粒状物層２６とを備え、吸放湿性粉体２４が白蟻に付着することで、白蟻の体内から水分を吸収して環境に放出してしまい、水分が奪い取られた白蟻が死滅する。【選択図】　図１
2004027735.tif 000002
【特許請求の範囲】
【請求項１】
建築物の床下空間における防蟻構造であって、
前記床下空間の基礎構造に隣接する地盤面に配置された収容凹部と、
前記収容凹部の内面に沿って配置された防湿層と、
前記収容凹部の内部で前記防湿層の上に収容された吸放湿性粉体層と、
前記収容凹部の内部で前記吸放湿性粉体層の上に配置された重し粒状物層と
を備える床下防蟻構造。
【請求項２】
前記吸放湿性粉体層を構成する吸放湿性粉体が、シリカゲル、珪藻土、多孔質鉱物、炭化物からなる群から選ばれる何れか１種であって、粒径０．１ｍｍ以下の粉体であり、
前記重し粒状物層を構成する重し粒状物が、シリカゲル、珪藻土、多孔質鉱物、炭化物からなる群から選ばれる何れか１種であって、粒径０．２〜６．５ｍｍの吸放湿性を有する粒状物である
請求項１に記載の床下防蟻構造。
【請求項３】
前記防湿層が、前記収容凹部の内面に沿って敷設された防湿シートであり、
前記防湿シートの端辺を前記基礎構造の立ち上がり面に貼着する這い上がり防止テープをさらに備える
請求項１または２に記載の床下防蟻構造。
【請求項４】
建築物の床下空間における防蟻工法であって、
前記床下空間の基礎構造に隣接する地盤面に収容凹部を形成する工程（ａ）と、
前記収容凹部の内面に沿って防湿シートを敷設する工程（ｂ）と、
前記収容凹部の内部で前記防湿層の上に吸放湿性粉体を堆積させて吸放湿性粉体層を形成する工程（ｃ）と、
前記収容凹部の内部で前記吸放湿性粉体層の上に重し粒状物を並べて重し粒状物層を形成する工程（ｄ）と
を含む床下防蟻工法。
【発明の詳細な説明】
【０００１】
【発明の属する技術分野】
本発明は、床下防蟻構造および床下防蟻工法に関し、詳しくは、住宅などの建築物の床下空間において、地盤から基礎構造および床上構造物へと白蟻が侵入するのを防ぐ床下防蟻構造と、このような床下防蟻構造を施工する床下防蟻工法とを対象にしている。
【０００２】
【従来の技術】
建築物の床下空間における白蟻対策として、布基礎や束柱などの基礎構造に対して、周囲の地盤に溝を掘り、この溝に液状や粉体状の防蟻剤を充填しておく技術が知られている。基礎構造を這い上がろうとする白蟻は、周囲の溝を横断するときに防蟻剤に接触することで死滅させられる。
また、基礎構造の周囲の地盤面を、防蟻剤が含浸された防蟻シートで覆ったり、基礎構造の外周側面に防蟻剤を塗工したり、防蟻シートを貼着したりする技術も知られている。
【０００３】
これらの技術に使用される防蟻剤としては、ヒ素、コールタール、クロルデン、有機リン系薬剤、合成ピレストロイド剤などが知られている。
近年、住居環境における化学物質の問題に関心が高まり、出来るだけ防蟻剤を使用しない防蟻技術が考えられている。
例えば、特開２０００−２９１１７０号公報には、ポリアミド樹脂からなる防蟻部材に、白蟻の食害防止機能や忌避効果、蟻道の形成阻害機能があることが示されている。
特開平２０００−２６２１８号公報には、白蟻に対して殺虫効果のある天然鉱物であるコレマナイトの粒子を、散布または層状に堆積させておく技術が示されている。
【０００４】
【発明が解決しようとする課題】
従来の無薬剤防蟻技術は、防蟻剤を用いた場合に比べて、防蟻効果の点で劣っていたり、施工に手間がかかったりする問題があった。
前記したポリアミド樹脂からなる防蟻部材は、白蟻の食害防止や忌避には有効であるが、白蟻を死滅させるものではない。そのため、防蟻部材を回避して白蟻が侵入する心配がある。
前記したコレマナイト粒子を使用する方法は、粒子径が大きいと、粒子同士の隙間を白蟻が通過してしまって防蟻機能が果たせなくなる。粒子径が小さいと、飛散してしまう。また、地盤の水分を吸湿すると防蟻機能が低下する。天然鉱物であっても、殺虫機能のある成分を含むから、床下に入った作業者などが吸い込んだり接触したりすることは避けなればならない。
【０００５】
本発明の課題は、防蟻剤を使用しなくても、防蟻効果に優れ、施工も容易な防蟻技術を提供することである。
【０００６】
【課題を解決するための手段】
本発明にかかる床下防蟻構造は、建築物の床下空間における防蟻構造であって、前記床下空間の基礎構造に隣接する地盤面に配置された収容凹部と、前記収容凹部の内面に沿って配置された防湿層と、前記収容凹部の内部で前記防湿層の上に収容された吸放湿性粉体層と、前記収容凹部の内部で前記吸放湿性粉体層の上に配置された重し粒状物層とを備える。
〔床下空間〕
一般住宅や集合住宅など、各種建築物の床下空間に適用できる。
【０００７】
床下空間は、建築物の床や壁などの上部構造と、布基礎などの基礎構造と、地盤面とで囲まれた空間である。
基礎構造は、コンクリートあるいは鉄筋コンクリート、コンクリートブロックなどで構築され、布基礎、束基礎などと呼ばれる構造が含まれる。
床下空間には、各種の配管やダクトなどの設備が設置される場合があり、このような設備類も基礎構造の一部とみなせる。
白蟻は、地盤内から床下空間に侵入し、基礎構造を這い上って上部構造へと侵入して食害を及ぼす。
【０００８】
〔収容凹部〕
床下空間の基礎構造に隣接する地盤面に配置される。吸放湿性粉体層の収容空間を構成する。
収容凹部は、基礎構造と地盤面との境界線に沿って配置される。布基礎で囲まれた床下空間では、床下空間の全周で布基礎に沿って溝状の収容凹部を設けることができる。束基礎のような独立した基礎構造の場合、基礎構造の外周に沿って環状に収容凹部を設けることができる。
収容凹部は、基礎構造の側面から離れた地盤に独立して設けることもできるが、一方の内側面が基礎構造の側面で構成されるようにしておくことができる。収容凹部が基礎構造の側面に接していれば、収容凹部と基礎構造の隙間を白蟻が通過することが防げる。
【０００９】
収容凹部の断面形状は、深さ方向に狭くなる逆台形状、矩形状、三角形状、Ｕ字形、半円形状などが採用できる。
収容凹部の深さや幅は、収容する吸放湿性粉体の量に合わせて設定できる。収容凹部を横断する白蟻が確実に吸放湿性粉体と接触できるだけの幅が好ましい。吸放湿性粉体が白蟻に付着して持ち出されても吸放湿性粉体層がなくならないように、十分な深さを有することの望まれる。具体的には、収容凹部の開口側の幅を５〜５０ｃｍ、深さを２〜５０ｃｍの範囲に設定できる。
〔防湿層〕
地盤の湿気や水分が、吸放湿性粉体層に吸収されるのを阻止する。
【００１０】
防湿層は、収容凹部の内面に沿って配置される。少なくとも吸放湿性粉体と接触する範囲には防湿層を配置する。重し粒状物層の収容部分まで配置しておくことが好ましい。さらに、収容凹部の開口縁よりも外側の地盤の一部や基礎構造の表面の一部までを、防湿層で覆っておくことができる。
防湿層は、合成樹脂などからなる防湿性の液剤を塗工硬化させて形成してもよいし、予めシート状に成形された防湿シートを敷設してもよい。防湿層の材料として、ポリエチレン、エチレン−酢酸ビニル共重合体、ポリプロピレン等のポリオレフィン樹脂、ポリアミド樹脂、ポリエステル樹脂、ポリ塩化ビニル樹脂、ポリビニルアルコール樹脂、アセチルセルロース樹脂、ポリウレタン樹脂などが挙げられる。不織布も使用できる。複数の材料を積層したり複合化したりしたものも使用できる。
【００１１】
防湿層の厚みは、湿気や水分を確実に遮断できる厚みがあればよく、材質によっても異なるが、通常は、０．１〜５．０ｍｍの範囲に設定できる。防湿シートの場合、２ｍｍ以下であれば、収容凹部の内面に沿って変形させるなどの取り扱いが行い易い。
防湿シートを使用する場合、収容凹部に敷設した防湿シートの上に吸放湿性粉体および重し粒状物を堆積させることで防湿シートを固定することができる。防湿シートを、接着剤や釘などで固定することもできる。防湿シートを基礎構造に固定するには、接着剤や粘着剤で貼りつけることができる。接着テープや粘着テープを使用することもできる。
【００１２】
基礎構造の立ち上がり面に防湿シートの端辺を貼着する場合、表面が滑り易く白蟻が這い上がり難い這い上がり防止テープを使用することが有効である。這い上がり防止テープの材料として、ポリエチレン、ポリプロピレン等のポリオレフィン樹脂、ポリアミド樹脂、ポリエステル樹脂、ポリ塩化ビニル樹脂、ポリビニル樹脂、ポリビニルアルコール樹脂、ポリウレタン樹脂などの合成樹脂からなるフィルムが使用できる。垂直面に配置された這い上がり防止テープの幅が１０ｃｍ以上あれば、白蟻が這い上がり防止テープを超えて這い上がることは困難である。また、白蟻が蟻道を作ることも困難である。這い上がり防止テープに、ヒバ油、木酢液その他の天然材料などからなる防蟻剤を含有させておくと、防蟻機能が高まる。
【００１３】
〔吸放湿性粉体層〕
収容凹部の内部で防湿層の上に収容される。白蟻に付着したときに、白蟻の体内から水分を奪い取り、最終的に白蟻を死滅させる機能を有する。
吸放湿性粉体層を構成する吸放湿性粉体として、シリカゲル、珪藻土、多孔質鉱物、炭化物などが使用できる。複数の材料を併用することもできる。
吸放湿性粉体は、白蟻の付着し易い微細な粉体が好ましい。具体的には、粒径０．１ｍｍ以下に設定できる。
〔重し粒状物層〕
収容凹部の内部で吸放湿性粉体層の上に配置される。微粉状の吸放湿性粉体が飛散するのを防止する重しとして機能する。
【００１４】
重し粒状物層を構成する重し粒状物として、シリカゲル、珪藻土、多孔質鉱物、炭化物などが使用できる。複数の材料を併用することもできる。
重し粒状物の粒径は、０．２〜６．５ｍｍの範囲に設定できる。重し粒状物が吸放湿性を有する粒状物であれば、床下空間の空気などに含まれる湿気が吸放湿性粉体に吸収されてしまうのを防いで、吸放湿性粉体の防蟻機能を長期間にわたって良好に維持できる。
重し粒状物層は、重し粒状物が隙間なく密接して堆積している必要はなく、重し粒状物同士の間に隙間があいていてもよい。また、重し粒状物が単層で並んでいてもよい。
【００１５】
〔防蟻工法〕
工程（ａ）：床下空間の基礎構造に隣接する地盤面に収容凹部を形成する。収容凹部の断面形状に対応するスコップ状あるいは鋤状の工具を使用し地盤を掘って収容凹部を形成することができる。
工程（ｂ）：収容凹部の内面に沿って防湿シートを敷設する。予め帯状に形成された防湿シートを収容凹部に敷き延ばしていくことができる。長尺で巻回された防湿シートを巻き解きながら敷設したり、定寸の防湿シートを一部が重なるように並べることもできる。必要に応じて、防湿シートを基礎構造の表面や地盤に固定する作業を行う。防湿シートとして、予め、這い上がり防止テープや接着テープが貼着されていたり、接着層や粘着層が形成されたりしているものを使用すれば、防湿シートの敷設と固定が容易に行える。勿論、防湿シートを敷設した上から、這い上がり防止テープなどを貼り付けることもできる。
【００１６】
工程（ｃ）：収容凹部の内部で防湿層の上に吸放湿性粉体を堆積させて吸放湿性粉体層を形成する。吸放湿性粉体は、湿気を侵入させない袋や容器に収容された状態で供給し、袋や容器の一部に設けた供給口から収容凹部に注ぎ込むようにして堆積させることができる。
工程（ｄ）：収容凹部の内部で吸放湿性粉体層の上に重し粒状物を並べて重し粒状物層を形成する。重し粒状物は、吸放湿性粉体層の表面がほぼ覆われる程度に散布しておく。吸放湿性粉体層の一部が露出していてもよい。
その他の工程：上記工程に加えて、本発明の作用効果を阻害しない範囲で、通常の防蟻方法や防蟻手段を組み合わせることもできる。例えば、地盤面に防蟻シートを敷設したり、基礎構造に防蟻テープを貼着したりすることができる。
【００１７】
【発明の実施の形態】
〔床下防蟻構造〕
図１に示す実施形態は、住宅の床下空間のうち布基礎部分における防蟻構造を示している。
住宅の基礎構造として、断面逆Ｔ字形をなすコンクリート枠からなる布基礎１０が構築されている。布基礎１０の下部は地盤Ｅに埋設されている。布基礎１０は、住宅の外周を囲む周枠状をなすとともに、その内部を複数の区画に仕切って配置されている。布基礎１０の上部には、土台１２を介して外壁１４が施工されたり、根太１６を介して床面１８が施工されたりして、建築物の上部構造が構築される。床面１８と地盤Ｅとの間で、布基礎１０に囲まれた空間が、床下空間Ｕである。
【００１８】
床下空間Ｕのうち、布基礎１０の根元の地盤Ｅには、断面が逆台形状をなす収容溝２０が掘られている。収容溝２０は、床下空間Ｕで布基礎１０の全周に連続して設けられている。収容溝２０の片側の内側面は、布基礎１０の立ち上がり面である側面で構成されている。収容溝２０は、断面形状における幅が１０ｃｍ、深さが１０ｃｍに形成されている。
収容溝２０の外側の地盤Ｅ表面から、収容溝２０の内面を経て、布基礎１０の側面にかけて、ポリエチレン製の防湿シート２２が敷かれている。
布基礎１０の側面においては、防湿シート２２の端辺が、幅１０ｃｍのナイロン製で粘着剤付きの這い上がり防止テープ２８で、布基礎１０に貼着されている。したがって、布基礎１０と防湿シート２２との間には白蟻が侵入できる隙間はない。防湿シート２２の反対側の端辺は、地盤Ｅに金具などで止め付けておいてもよいが、止め付けておかなくても、収容溝２０に吸放湿性粉体層２４や重し粒状物層２６を配置することで、防湿シート２２の浮き上がりは防止できる。
【００１９】
防湿シート２２の上には、平均粒径０．０２ｍｍの微細な粉体状をなすシリカゲルが堆積して、吸放湿性粉体層２４を構成している。吸放湿性粉体層２４と地盤Ｅとの間には、防湿シート２２が存在するので、吸放湿性粉体２４が地盤Ｅの湿気を吸って吸湿機能が低下することが防止される。吸放湿性粉体層２４は、収容凹部２０の上端開口近くまで配置されている。
吸放湿性粉体層２４の表面は、吸放湿性粉体層２４で使用されているものよりも大きな平均粒径２．０ｍｍの粒状シリカゲルからなる重し粒状物層２６で覆われている。重し粒状物層２６は、重し粒状物２６が、ほぼ吸放湿性粉体層２４を覆う程度に並んでおり、重し粒状物２６同士の間には、ある程度の隙間があいている。
【００２０】
〔防蟻作用〕
図１の防蟻構造で、白蟻が、床下空間Ｕの地盤Ｅから布基礎１０を経て上部構造１２〜１８へと侵入しようとする。
白蟻は、防湿シート２２の上から重し粒状物層２２あるいは吸放湿性粉体層２４の上を這って行かなれば、布基礎１０へと移れない。
吸放湿性粉体層２４の上を移動する白蟻の身体には、微細な粉体からなる吸放湿性粉体２４が付着する。白蟻の身体に付着した吸放湿性粉体２４は白蟻の体内から水分を吸い出して吸収保持する。吸放湿性粉体２４に吸収された水分は、周囲の空気中に放出される。その結果、白蟻の体内から水分が無くなり、白蟻は死滅する。
【００２１】
なお、白蟻は、吸放湿性粉体層２４に接触して直ちに水分を奪い取られて死滅するのではない。したがって、吸放湿性粉体２４を付着させたまま、吸放湿性粉体層２４を横切って布基礎１０側に到達する白蟻も存在する。しかし、白蟻に付着した吸放湿性粉体２４は、継続的に、白蟻の体内から水分を奪って空気中に放出する作用を行うので、巣に戻った白蟻も、徐々に水分が減少して死滅してしまう。吸放湿性粉体２４が付着した白蟻が、巣に戻って他の白蟻と接触すると、吸放湿性粉体２４の一部が別の白蟻にも移行して死滅に至らせる作用もある。
吸放湿性粉体層２４に触れずに重し粒状物層２２を這う白蟻も存在するが、粒状の重し粒状物２２の表面に沿って移動する白蟻は、どうしても、重し粒状物２２の下面側から吸放湿性粉体２４に触れる位置を通過することになる。白蟻の習性として、粒状物を通過しようとする際には、粒状物の下側にもぐり込もうとするので、重し粒状物２２の下の吸放湿性粉体２４に触れる可能性が高い。隣り合う重し粒状物２２の間をわたる際に、吸放湿性粉体２４に触れる機会もある。したがって、白蟻が、吸放湿性粉体２４には全く触れずに、重し粒状物２２の上だけを這って、布基礎１０まで到達することは、ほぼ不可能である。
【００２２】
さらに、吸放湿性粉体２４が付着した白蟻が、吸放湿性粉体層２４を横切って、布基礎１０側に到達することがあっても、防湿シート２２の端辺に存在する這い上がり防止テープ２８の滑り易い表面を、垂直に這い登ることはできない。白蟻は、這い上がり防止テープ２８から重し粒状物層２２または吸放湿性粉体層２４に落下して、吸放湿粉体２４が付着してしまうことになる。
吸放湿性粉体２４が付着した白蟻が、まれに、這い上がり防止テープ２８を超えて布基礎１０の上部まで到達できたとしても、経時的に水分を奪われて生命力が低下した白蟻は、住宅のうちの布基礎１０よりも上部構造に食害を及ぼしたり繁殖したりすることはできない。
【００２３】
吸放湿性粉体層２４の上面が、吸放湿性を有する重し粒状物層２２で覆われていると、床下空間Ｕの湿気が吸放湿性粉体層２４に吸収される前に、重し粒状物層２２に吸収されてしまう。その結果、吸放湿性粉体層２４を常に乾燥状態に保って、白蟻へと付着性、水分吸収機能を良好に発揮させる。また、床下空間Ｕの環境全体を、白蟻の嫌う乾燥状態にすることで、床下空間Ｕへの白蟻の侵入を阻止する効果もある。
〔性能評価試験〕
本発明の防蟻構造による防蟻効果を評価する試験を行なった。
【００２４】
下記３種類の試験構造に対して、（社）日本木材保存協会規格第１７号「防蟻剤処理非木質製品の室内防蟻効力試験法及び性能基準」に準じて試験を行なった。
＜試験構造１＞
コンクリート製試験支持体の周りに、支持体の外面より１０ｃｍの幅で深さ１０ｃｍの収容溝を形成した。収容溝の底に厚さ２００μｍのポリエチレン製の防湿シートを敷いた。防湿シートの上に、シリカゲルＢ形（富士株式会社製）を擂り潰した粉末（平均粒径０．０２ｍｍ）からなる吸放湿粉体を、収容溝の長さ方向１ｍ当たり２ｋｇの量で堆積させた。
【００２５】
＜試験構造２＞
コンクリート製試験支持体の周りに、支持体の外面より１０ｃｍの幅で深さ１０ｃｍの収容溝を形成した。収容溝の底に厚さ１５０μｍのポリエチレン製の防湿シートを敷いた。防湿シートの上に、シリカゲルＢ形（富士株式会社製）を擂り潰した粉末（平均粒径０．０２ｍｍ）からなる吸放湿粉体を、収容溝の長さ方向１ｍ当たり２ｋｇの量で堆積させた。
吸放湿粉体層の上には、重し粒状物層として、稚内珪藻土の粒状物（平均粒径２．０ｍｍ）を、収容溝の長さ方向１ｍ当たり３ｋｇの量で堆積させた。
【００２６】
＜試験構造３＞
コンクリート製試験支持体だけを用いた。防湿シートや吸放湿粉体層、重し粒状物層は使用しない。
＜試験結果＞
【００２７】
【表１】
2004027735.tif 000003
【００２８】
＜評価＞
（１）　コンクリート製試験支持体のみからなる試験構造３では、１週間で既に白蟻の這い上がりが始まり、３週間後には全面で白蟻が這い上がってしまい、食害も進んでしまっている。
（２）　吸放湿性粉体層を有する試験構造１および試験構造２では、４週間を経ても、白蟻の這い上がりは認められず、当然、白蟻の食害も発生していない。
（３）　試験構造２では、重し粒状物層が吸放湿性粉体層の上を覆っているが、防蟻機能の上では、全く問題が無いことが判る。
【００２９】
なお、試験構造１では、風などで吸放湿性粉体が飛散することがあったが、試験構造２では、吸放湿性粉体の飛散は全く起こらなかった。
【００３０】
【発明の効果】
本発明にかかる床下防蟻構造および床下防蟻工法は、基礎構造に隣接する地盤面の収容凹部に、防湿層、吸放湿性粉体層および重し粒状物層を備えている。
基礎構造に這い上がろうとする白蟻に、微細な粉体からなる吸放湿性粉体が付着し、白蟻の体内から水分を奪い取って空気中に放出してしまう。水分を奪い取られた白蟻は死滅してしまう。吸放湿性粉体と地盤との間には防湿層が存在するので、吸放湿性粉体が地盤の湿気などを吸って防蟻機能が損なわれてしまうことが、確実に防止できる。風などで飛散し易い吸放湿性粉体層の上に重し粒状物層が配置されているので、吸放湿性粉体層が飛散して散逸してしまい防蟻機能が損なわれてしまうことも防げる。その結果、吸放湿性粉体層の防蟻機能が長期間にわたって確実に発揮される。重し粒状物は、吸放湿性粉体層を完全に塞いでしまうことがないので、白蟻は、重し粒状物層の上だけを通過してしまうことはなく、確実に吸放湿性粉体と接触する。
【図面の簡単な説明】
【図１】本発明の実施形態を表す床下防蟻構造の断面図
【符号の説明】
１０　　布基礎
２０　　収容溝
２２　　防湿シート
２４　　吸放湿性粉体層
２６　　重し粒状物層
Ｅ　　　地盤
Ｕ　　　床下空間
【図１】
2004027735.tif 000004